(57)【特許請求の範囲】
【請求項１】
帯枕と、この帯枕を内側上部に収めると共に左右に胴巻帯を有する太鼓帯主体と、この太鼓帯主体の上部外側面と長着の上部外側面とに設けられ、且つ相互に着脱自在なる面ファスナーと、更に太鼓帯主体と長着との間で、而も前記面ファスナーの下側に位置し、且つ上端を相互に連ねた長板状の外側骨材片及び内側骨材片とで構成した二又状の帯止骨具と、太鼓帯主体及び長着の夫々の外側面に縫付けられた縫付布部とで成すと共に、該二又状の帯止骨具の外側骨材片を太鼓帯主体と縫付布部との間、更に内側骨材片を長着と縫付布部との間に夫々縦方向から挿入して太鼓帯主体と長着とを結着し、この状態にて内外側骨材片の各々の下端に装備された締結部にて相互に締結する様にしたことを特徴とする太鼓帯装置。
【発明の詳細な説明】
【技術分野】
【０００１】  本発明は和服において、帯枕を内側に収める太鼓帯の着付けをさほどの手間を要することなく簡単に行える太鼓帯装置に関する。
【背景技術】
【０００２】  近時、和服の着用が減少傾向にある。特に名古屋帯等の帯結びは複雑で、太鼓帯の着付けには相当な経験が伴い、専門の着付け係に頼るのが現状であり、この様なことから和服の着用が敬遠される大きな要因となっている。
そこで、下記技術文献実公平４−５４１７４号が存在する。
即ち、従前と同様に帯枕を納める太鼓帯主体のまえたれを相当長尺状態とし、この状態にてまえたれと内側との間に帯枕を位置させ、次いでまえたれを巻き上げると共に、胴巻帯を長着の上から締め付けていることから、結局は帯枕の仮位置と太鼓帯のまえたれとの位置調整を必要としている。
特に胴巻帯の締め付けが緩んでくると太鼓帯が長着から離間する様に垂れ下がることとなり、従前とさほど変わらない。
【特許文献】実公平４−５４１７４号
【発明の開示】
【発明が解決しようとする課題】
【０００３】  本発明は、長着と太鼓帯とが多少の胴巻帯の締め付けバラツキは勿論、着付け後、多少の緩みによっても太鼓帯が長着から離間する様に垂れ下がることがなく、さほどの経験の無い者でも着付けできることとする。
【課題を解決するための手段】
【０００４】  以上を解決するため本発明は、帯枕と、この帯枕を内側上部に収めると共に左右に胴巻帯を有する太鼓帯主体と、この太鼓帯主体の上部外側面と長着の上部外側面とに設けられ、且つ相互に着脱自在なる面ファスナーと、更に太鼓帯主体と長着との間で、而も前記面ファスナーの下側に位置し、且つ上端を相互に連ねた長板状の外側骨材片及び内側骨材片とで構成した二又状の帯止骨具と、太鼓帯主体及び長着の夫々の外側面に縫付けられた縫付布部とで成すと共に、該二又状の帯止骨具の外側骨材片を太鼓帯主体と縫付布部との間、更に内側骨材片を長着と縫付布部との間に夫々縦方向から挿入して太鼓帯主体と長着とを結着し、この状態にて内外側骨材片の各々の下端に装備された締結部にて相互に締結する様にしたことによって、長着と太鼓帯とが多少の胴巻帯の締め付けバラツキは勿論、着付け後、多少の緩みによっても太鼓帯が長着から離間する様に垂れ下がることがなく、さほどの経験の無い者でも着付けすることができる太鼓帯装置。
【発明の効果】
【０００５】本発明によれば、帯枕を収める太鼓帯主体と長着とをその上部の面ファスナー相互によって結着し、更にその直下に位置した二又状の帯止骨具にても太鼓帯主体は正常に直立状態に保持させる。即ち太鼓帯は、胴巻帯に総てに頼ることなく長着の上部にて恰も吊下げられた状態となり、長着から離間する様に垂れ下がる所謂、型崩れがなく、さほどの経験の無い者であっても着付けが容易となる。
勿論、胴巻帯もさほど意識せずして巻き付ければよいこととなる。
又、その着付け後の仕舞い込みに際しては、面ファスナー及び二又状の帯止骨具は下端の締結具を外し、更に太鼓帯主体と長着との縫付布部から引き抜けばよく、その後の保管も嵩張らず整然となる。
【発明を実施するための最良の形態】
【０００６】  以下に本考案を実施例に基づいて説明する。
図１に示す如く長着１と共に太鼓帯２を着付けた斜視図であって、図２はその太鼓帯２の正面図で、太鼓帯主体３とその左右に胴巻帯４を有し、且つ図３に示す如く、太鼓帯主体３の内側上部３ａに帯枕５を収めている。而してこの太鼓帯主体３の上部外側面３ｂと長着１の上部外側面１ｂとには相互に着脱自在となる面ファスナー６、７を設けている。更に太鼓帯主体３と長着１との間には、二又状の帯止骨具８が介在し、且つ面ファスナー６、７の下側に位置している。具体的には帯止骨具８の上端８ａを相互に連ねた長板状の内側骨材片９及び外側骨材片１０とで構成しており、厚紙、合成樹脂等にて作られている。而してこの内側骨材片９が、長着１の外側面１ｃに縫付けられた縫付布部１１に縦方向きに挿入され、更に外側骨材片１０は太鼓帯主体３の外側面３ｃに縫付けされた縫付布部１２に縦方向から挿入されており、この二又状の帯止骨具８にて長着１と太鼓帯主体３とは結着され、且つ前記面ファスナー６、７とで一層堅固なものとなる。【０００７】  又、内外側骨材片９、１０の各々の下端には締結部１３が装備され、該両骨材片９、１０を締結する。
具体的には、図３、４及び図５に示す如く内側骨材片９の下部に吊バンド１４を部材２１にて止め、この吊バンド１４にはリング１６が反転自在に懸架され、該リング１６の下端に設けられた摘子１８には凹状ホック１９が設けられている。
更に外側骨材片１０の下端にも同様にリング１７が反転自在に懸架され、又、外側骨材片１０には凸状ホック２０が設けられ、上記凹状ホック１９と係合する。
【作用】
【０００８】  次に本発明に係る太鼓帯を長着に着脱する順序を説明すると、先ず着付けする場合は、二又状の帯止骨具８の内側骨材片９を長着１の外側面１ｃと縫付布部１１との間に、更に外側骨材片１０を太鼓帯主体３と縫付布部１２との間に夫々に縦方向から挿入する。
この挿入した状態は、図３にて示す。
而して、図３に於いては、矢印Ｘにて示す通り、既に吊バンド１４のリング１６が他方リング１７を跨いで反転し、摘子１８が回り込んで太鼓帯主体３側の外側骨材片１０に結着する。
この結着は摘子１８の凹状ホック１９と外側骨材片１０の凸状ホック２０との係合による。
上記図３の状態に至る前段階を図５にて示す。
即ち、内側骨材片９の吊バンド１４からリング１６及び摘子１８は垂下がっており、この状態より矢印Ｘ方向に反転させて、上記図３の状態にするのである。
更にこの状態にて内側骨材片９の面ファスナー７と外側骨材片１０の面ファスナー６とが接合し長着１と太鼓帯主体３とは堅固に一体化される。
勿論、外す場合は上記と逆順序にて外すこととなる。
【図面の簡単な説明】
【０００９】
【図１】本発明太鼓帯装置係る着付け状態の斜視図
【図２】太鼓帯の正面図
【図３】部分拡大断面図
【図４】部分拡大斜視図
【図５】部分拡大断面図
【符号の説明】
【００１０】１    長着
２    太鼓帯
３    太鼓帯主体
５    帯枕
４    胴巻帯
６    面ファスナー
７    面ファスナー
８    二又状の帯止骨具
９    内側骨材片
１０  外側骨材片
１１  縫付布部
１２  縫付布部
１３  締結部
１４  吊バンド
１６  リング
１７  リング
１９  凹状ホック
２０  凸状ホック
２１  部材
【要約】
【課題】長着と太鼓帯とが多少の胴巻帯の締め付けバラツキは勿論、着付け後、多少の緩みによっても太鼓帯が長着から離間する様に垂れ下がることがなく、さほどの経験の無い者でも着付けできることとする。
【解決手段】帯枕を収める太鼓帯主体の上部外側面と長着の外側面とに相互に着脱自在な面ファスナーを設け、更に太鼓帯主体と長着との間で、而も前記面ファスナーの下部に位置し、且つ上端を相互に連ねた長板状の外側骨材片及び内側骨材片とで二又状の帯止骨具を構成し、太鼓帯主体及び長着の外側面に縫付布部を縫付け、この両者間に前記二又状の帯止骨具の外側骨材片及び内側骨材片が夫々縦向きに挿入してその下端を締結することによって、長着と太鼓帯とが多少の胴巻帯の締め付けバラツキは勿論、着付け後、多少の緩みによっても太鼓帯が長着から離間する様に垂れ下がることがなく、さほどの経験の無い者でも着付けすることができる鼓帯装置。
【選択図】  図３【図１】
0003956150.tif 000002
【図２】
0003956150.tif 000003
【図３】
0003956150.tif 000004
【図４】
0003956150.tif 000005
【図５】
0003956150.tif 000006